(57)【要約】【課題】製造工程を増加させることなく、エッジグローを防止することができる、補強構造体の製造方法を提供すること。【解決手段】補強構造体の製造方法は、繊維露出面を有するストリンガーを準備する工程と、繊維露出面の少なくとも一部を覆うように、絶縁保護材を配置する工程と、未硬化の樹脂成分を有するスキン上に、ストリンガーを配置する工程と、ストリンガーを配置する工程の後に、スキンを硬化させる工程とを有する。絶縁保護材は、樹脂成分と絶縁性の繊維成分とが組み合わされた複合材料を有する。スキンを硬化させる工程は、スキンと絶縁保護材とを同時に硬化させる工程を含んでいる。【選択図】図２
2015016664.tif 000002
【特許請求の範囲】
【請求項１】
繊維露出面を有するストリンガーを準備する工程と、
前記繊維露出面の少なくとも一部を覆うように、絶縁保護材を配置する工程と、
未硬化の樹脂成分を有するスキン上に、前記ストリンガーを配置する工程と、
前記ストリンガーを配置する工程の後に、前記スキンを硬化させる工程と、
を具備し、
前記絶縁保護材は、樹脂成分と絶縁性の繊維成分とが組み合わされた複合材料を有し、
前記スキンを硬化させる工程は、前記スキンと前記絶縁保護材とを同時に硬化させる工程を含んでいる
補強構造体の製造方法。
【請求項２】
請求項１に記載された補強構造体の製造方法であって、
前記ストリンガーは、板部分を有し、
前記板部分は、
前記スキンに接着させられる接着面と、
端面とを有しており、
前記繊維露出面は、前記板部分の端面に設けられている
補強構造体の製造方法。
【請求項３】
請求項２に記載された補強構造体の製造方法であって、
前記絶縁保護材を配置する工程は、前記絶縁保護材と前記接着面とが離隔するように、前記端面の一部に前記絶縁保護材を配置する工程を含んでいる
補強構造体の製造方法。
【請求項４】
請求項２又は３に記載された補強構造体の製造方法であって、
更に、
前記絶縁保護材を配置する工程の前に、前記接着面及び前記端面を覆うように、前記ストリンガーに接着剤を配置する工程、
を具備する
補強構造体の製造方法。
【請求項５】
請求項１乃至４のいずれかに記載された補強構造体の製造方法であって、
前記繊維成分は、ガラス繊維を含んでいる
補強構造体の製造方法。
【請求項６】
請求項１乃至５のいずれかに記載された補強構造体の製造方法であって、
前記ストリンガーを準備する工程は、
硬化済みの炭素繊維強化プラスチック材を準備する工程と、
前記硬化済みの炭素繊維強化プラスチック材の一部を加工することにより、前記ストリンガーを得る工程とを含んでいる
補強構造体の製造方法。
【請求項７】
請求項１乃至６のいずれかに記載された補強構造体の製造方法であって、
前記スキンは、炭素繊維強化プラスチック材を含んでいる
補強構造体の製造方法。
【発明の詳細な説明】
【技術分野】
【０００１】
本発明は、補強構造体の製造方法に関する。
【背景技術】
【０００２】
航空機の主翼部材などには、スキン（外板）として、繊維成分と樹脂成分とが組み合わされた繊維強化複合材料（例えば、炭素繊維強化プラスチック；ＣＦＲＰ）が用いられる場合がある。スキンには、強度を高める為、ストリンガー（縦貫材）が取り付けられる場合がある。ストリンガーが取り付けられたスキンは、以下、補強構造体と称される。ストリンガーとしても、スキンと同様に、繊維強化複合材料が用いられる場合がある。
【０００３】
補強構造体の製造時には、硬化済みのストリンガーが、未硬化のスキン上に接着剤を介して配置させられる。次いで、熱及び圧力などにより、スキンが硬化させられ、ストリンガーがスキンに一体に接合させられる。
【０００４】
スキンに接合させられる前に、硬化済みのストリンガーは、寸法の調整などのため、加工される場合がある。加工が行われると、加工面において、繊維成分が露出する。すなわち、ストリンガーの一部に、繊維露出面が形成される。
【０００５】
補強構造体には、運用時に、電流又は電圧が加えられる場合がある。例えば、航空機の主翼部材として用いられる場合、雷などにより、雷電流又は高電圧が補強構造体に付加される場合がある。繊維露出面が存在する場合、付加された電流又は電圧により、エッジグローが生じる場合がある。
【０００６】
エッジグローを防止するための技術が、特許文献１（米国特許公開公報ＵＳ２００８／０１２８４３０）に開示されている。特許文献１には、繊維露出面を熱硬化性樹脂層によりシールする点、及びシールした樹脂層を硬化させる点が開示されている。
【先行技術文献】
【特許文献】
【０００７】
【特許文献１】米国特許公開公報ＵＳ２００８／０１２８４３０
【発明の概要】
【発明が解決しようとする課題】
【０００８】
特許文献１に記載されるように、繊維露出面を熱硬化性樹脂層によりシールした場合、熱硬化性樹脂層を硬化させる工程が必要となる。そのため、製造工程が増加してしまう。
【０００９】
一方、ストリンガーをスキンに接着し、スキンを硬化させた後に、繊維露出面にゴム材などのシール材を適用することも考えられる。しかし、この場合においても、シール材を適用するために製造工程が増加する。また、部品点数も増加してしまう。
【００１０】
そこで、本発明の課題は、製造工程を増加させることなく、エッジグローを防止することができる、補強構造体の製造方法を提供することにある。
【課題を解決するための手段】
【００１１】
本発明の一実施形態に係る補強構造体の製造方法は、繊維露出面を有するストリンガーを準備する工程と、繊維露出面の少なくとも一部を覆うように、絶縁保護材を配置する工程と、未硬化の樹脂成分を有するスキン上に、ストリンガーを配置する工程と、ストリンガーを配置する工程の後に、スキンを硬化させる工程とを備える。絶縁保護材は、樹脂成分と絶縁性の繊維成分とが組み合わされた複合材料を有する。スキンを硬化させる工程は、スキンと絶縁保護材とを同時に硬化させる工程を含んでいる。
【発明の効果】
【００１２】
本発明によれば、製造工程を増加させることなく、エッジグローを防止することができる、補強構造体の製造方法が提供される。
【図面の簡単な説明】
【００１３】
【図１】図１は、第１の実施形態に係る補強構造体が適用された主翼部材を示す概略断面図である。
【図２】図２は、補強構造体の一例を示す概略断面図である。
【図３】図３は、補強構造体の製造方法の一例を示すフローチャートである。
【図４】図４は、補強構造体の製造方法の一例を示す概略断面図である。
【図５】図５は、補強構造体の製造方法の一例を示す概略断面図である。
【図６】図６は、補強構造体の製造方法の一例を示す概略断面図である。
【図７】図７は、補強構造体の製造方法の一例を示す概略断面図である。
【図８】図８は、補強構造体の製造方法の一例を示す概略断面図である。
【発明を実施するための形態】
【００１４】
（第１の実施形態）
以下、図面を参照しつつ、実施形態について説明する。
【００１５】
図１は、本実施形態に係る補強構造体１が適用された主翼部材２０を示す概略断面図である。図１に示されるように、主翼部材２０は、一対のスキン２（２−１、２−２）、及びスパー１６を有している。スパー１６は、スキン２−１とスキン２−２との間に配置されている。スキン２−１、スキン２−２、及びスパー１６により囲まれた領域により、燃料タンク１５が形成されている。また、スキン２には、ストリンガー３が接合されており、これによって補強構造体１が構成されている。すなわち、補強構造体１は、スキン２及びストリンガー３を含んでいる。
【００１６】
スキン２及びストリンガー３としては、それぞれ、繊維成分と熱硬化性の樹脂成分とが組み合わされた繊維強化複合材が用いられる。この繊維強化複合材としては、例えば、炭素繊維強化プラスチック材が用いられる。ここで、ストリンガー３に繊維露出面が存在していると、既述のようにエッジグローが生じる場合がある。繊維露出面が燃料タンク１５内に存在する場合、エッジグローにより、燃料に着火する可能性がある。従って、燃料タンク１５内に配置されるストリンガー３に対しては、エッジグローの防止が特に求められる。
【００１７】
図２は、補強構造体１を示す概略断面図である。上述のように、補強構造体１は、スキン２、及びストリンガー３を有している。
【００１８】
ストリンガー３は、板部分４を有している。板部分４は、接着面５及び端面６を有しており、接着面５においてスキン２に接合されている。端面６は、ストリンガー３の硬化後に加工された部分であり、繊維露出面となっている。
【００１９】
ストリンガー３には、端面６を覆うように、絶縁保護層８が設けられている。絶縁保護層８が設けられていることにより、繊維露出面において露出した繊維成分と燃料との間が絶縁される。これにより、エッジグロー放電が防止される。
【００２０】
続いて、本実施形態に係る補強構造体１の製造方法を説明する。図３は、補強構造体１の製造方法を示すフローチャートである。
【００２１】
ステップＳ１：ストリンガーの準備
まず、硬化済みのストリンガー３が準備される。ストリンガー３は、既述のように、繊維成分と樹脂成分とを含んでおり、繊維成分は樹脂成分に含浸されている。これにより、ストリンガー３の表面は樹脂成分によって覆われている。次いで、寸法の調整などを目的として、ストリンガー３の端面６が研磨される。これにより、端面６が繊維露出面になる。
【００２２】
ステップＳ２；絶縁保護材の配置
次いで、図４に示されるように、ストリンガー３に、絶縁保護材９が適用（配置）される。絶縁保護材９は、端面６の少なくとも一部を覆うように、貼り付けられる。
【００２３】
絶縁保護材９としては、未硬化の熱硬化性樹脂成分１３と絶縁性の繊維成分１４とが組み合わされた複合材料が好適に用いられる。具体的には、本実施形態では、繊維成分１４としては、ガラス繊維成分が用いられる。すなわち、絶縁保護材９としては、ガラス繊維強化プラスチック材が好適に用いられる。
【００２４】
図５は、端面６の構成を示す概略断面図である。本ステップでは、絶縁保護材９が、接着面５と離隔するように、端面６の一部にのみ貼り付けられる。言い換えれば、絶縁保護材９は、端面６に被覆領域１２−１と露出領域１２−２とが形成されるように、貼り付けられる。被覆領域１２−１は、絶縁保護材９によって被覆された領域である。一方、露出領域１２−２は、端面６が露出した領域である。露出領域１２−２は、被覆領域１２−１と接着面５との間に設けられる。
【００２５】
尚、露出領域１２−２は、流れ出した接着剤１０（後述）により覆われるような領域に、設定される。
【００２６】
ステップＳ３；ストリンガーの配置
続いて、図６に示されるように、ストリンガー３が未硬化のスキン２上に配置される。具体的には、まず、接着面５に接着剤１０が適用され、その後、接着面５がスキン２に接着するように、ストリンガー３がスキン２上に配置させられる。
【００２７】
尚、接着剤１０としては、熱硬化性樹脂シートが好適に用いられる。
【００２８】
ステップＳ４；硬化
次いで、スキン２及び絶縁保護材９が同時に硬化させられる。すなわち、スキン２及び絶縁保護材９のそれぞれの樹脂成分が、同時に硬化させられる。スキン２及び絶縁保護材９は、例えば、熱及び圧力により、硬化させられる。この際、接着剤１０も硬化させられる。これにより、ストリンガー３がスキン２に一体に結合し、補強構造体１が得られる。
【００２９】
ここで、硬化時には、接着剤１０が、板部分４の端部から流れ出す。図７に示されるように、流れ出た接着剤１０により、端面６における露出領域１２−２が覆われる。その結果、絶縁保護材９及び接着剤１０により端面６が覆われ、絶縁保護層８が形成される。
【００３０】
以上説明した方法により、本実施形態に係る補強構造体１が得られる。
【００３１】
本実施形態によれば、絶縁保護材９の硬化と、スキン２の硬化とが、同一工程で行われる。従って、絶縁保護材９を硬化させる為の工程を新たに追加することなく、繊維露出面（端面６）をシールすることが可能となる。すなわち、製造工程を増加させることなく、エッジグローを防止することができる補強構造体を、製造することができる。
【００３２】
また、絶縁保護材９としては、ガラス繊維強化プラスチック材などの複合材料を用いることができるため、繊維露出面をシールするために特殊な技術は不要である。また、補強構造体１の重量もほとんど増加しない。
【００３３】
加えて、本実施形態によれば、ステップＳ２において、絶縁保護材９が、絶縁保護材９と接着面５とが離隔するように、端面６の一部にのみ貼り付けられる。これにより、補強構造体の強度を保ったまま、エッジグローを防止することができる。この点について、以下に説明する。
【００３４】
仮に、繊維露出面である端面６を完全に覆うように絶縁保護材９を適用した（貼り付けた）場合、絶縁保護材９に含まれる繊維成分が、スキン２と接着面５との間に混入する可能性がある。混入した繊維成分は、ストリンガー３がスキン２から剥離する原因になり得る。また、高い強度を有するストリンガー３とスキン２との間に、強度が低いガラス繊維等の繊維成分が混入すると、補強構造体１の強度が低下する。
【００３５】
これに対して、本実施形態によれば、図５に示されるように、絶縁保護材９は、露出領域１２−２が形成されるように、端面６の一部にのみ貼り付けられる。このため、接着面５とスキン２との間に絶縁保護材９が混入しない。また、露出領域１２−２は、端部から流れ出た接着剤１０により被覆される。すなわち、繊維露出面（端面６）は、絶縁保護材９及び接着剤１０の少なくとも一方により被覆される。結果として、繊維露出面は、絶縁保護層８により完全に覆われ、エッジグローが防止される。接着剤１０の流れ出しは、通常であれば、後工程における作業の障害となりうるが、本実施形態では、その流れ出しが逆に利用される。
【００３６】
尚、本実施形態では、主翼部材２０の燃料タンク１５に適用される補強構造体１について説明した。但し、補強構造体１は、必ずしも燃料タンク１５に用いられるものである必要はなく、エッジグローを防止する必要があれば、他の用途にも好適に用いることができる。
【００３７】
また、本実施形態では、絶縁保護材９として、ガラス繊維強化プラスチック材が用いられる場合について説明した。但し、絶縁保護材９は、ガラス繊維強化プラスチック材に限定されるものではなく、樹脂成分１３と絶縁性の繊維成分１４とが組み合わされた複合材料であればよい。例えば、絶縁性の繊維成分１４として、ナイロン繊維などが用いられてもよい。
【００３８】
また、スキン２に含まれる樹脂成分、ストリンガー３に含まれる樹脂成分、絶縁保護材９に含まれる樹脂成分１３、及び接着剤１０は、同一成分であることが好ましい。これらの成分が同一であることにより、各部分の物理的性質が近くなり、補強構造体１全体の強度を高めることができる。
【００３９】
また、スキン２に含まれる樹脂成分、ストリンガー３に含まれる樹脂成分、絶縁保護材９に含まれる樹脂成分１３、及び接着剤１０としては、例えば、エポキシ系樹脂、及びアクリル系樹脂などを用いることが可能である。
【００４０】
また、本実施形態では、絶縁保護材９がストリンガー３に適用された後に（ステップＳ２の後に）、ストリンガー３がスキン２上に配置される。但し、絶縁保護材９は、ストリンガー３がスキン２上に配置された後に、ストリンガー３に適用されてもよい。この場合であっても、スキン２と絶縁保護材９とを同一工程で硬化させることが可能である。
【００４１】
（第２の実施形態）
続いて、第２の実施形態について説明する。本実施形態では、第１の実施形態に対して、接着剤１０の適用部分が工夫されている。その他の点については、第１の実施形態と同様の構成を採用することができるので、詳細な説明は省略する。
【００４２】
本実施形態では、絶縁保護材９の適用（ステップＳ２）の前に、接着剤１０がストリンガー３に適用される。具体的には、図８に示されるように、接着剤１０が、端面６を包み込むように、適用される。すなわち、接着剤１０により、接着面５及び端面６が完全に覆われる。その後、接着剤１０の上から、絶縁保護材９が端面６の一部を覆うように、適用される。尚、接着剤１０としては、シート状のものが好ましく用いられる。
【００４３】
本実施形態によれば、接着剤１０により、繊維露出面である端面６が被覆される。そのため、露出領域１２−２が確実に接着剤１０により被覆される。これにより、より確実にエッジグローを防止することが可能となる。
【符号の説明】
【００４４】
１  補強構造体
２（２−１、２−２）  スキン
３  ストリンガー
４  板部分
５  接着面
６  端面
７  シール部材
８  絶縁保護層
９  絶縁保護材
１０  接着剤
１２−１  被覆領域
１２−２  露出領域
１３  樹脂成分
１４  繊維成分
１５  燃料タンク
１６  スパー
２０  主翼部材
【図１】
2015016664.tif 000003
【図２】
2015016664.tif 000004
【図３】
2015016664.tif 000005
【図４】
2015016664.tif 000006
【図５】
2015016664.tif 000007
【図６】
2015016664.tif 000008
【図７】
2015016664.tif 000009
【図８】
2015016664.tif 000010